(57)【要約】【課題】中立位置、傾斜位置に操作レバーの傾動動作が可能であるとともに、傾斜位置において、固定、固定解除の操作性に優れた建設・土木機械の操作レバー装置の提供。【解決手段】操作ボックス３０に対して、中立位置Ｎと、この中立位置Ｎから所定角度傾斜した傾斜位置Ａ（Ｂ）に傾動動作可能な操作レバー１０と、この操作レバー１０側に設けられ、磁石に磁着可能な磁性プレート１５と、前記操作ボックス３０側に設けられ、前記操作レバー１０が前記傾斜位置Ａ（Ｂ）にあるとき、前記磁性プレート１５を磁着させるための電磁石２０と、前記操作レバー１０に設けられ、前記電磁石２０を励磁状態または消磁状態にする操作を行うための電磁石操作スイッチ２５とを備えている。【選択図】図１
0003120513.tif 000002
【実用新案登録請求の範囲】
【請求項１】
建設機械または土木機械で使用される操作レバー装置であって、
操作ボックス（３０）に対して、中立位置（Ｎ）と、この中立位置（Ｎ）から所定角度傾斜した傾斜位置（Ａ，Ｂ）に傾動動作可能な操作レバー（１０）と、
この操作レバー（１０）側に設けられ、磁石に磁着可能な磁性プレート（１５）と、
前記操作ボックス（３０）側に設けられ、前記操作レバー（１０）が前記傾斜位置（Ａ，Ｂ）にあるとき、前記磁性プレート（１５）を磁着させるための電磁石（２０）と、
前記操作レバー（１０）に設けられ、前記電磁石（２０）を励磁状態または消磁状態に切り替える操作を行うための電磁石操作スイッチ（２５）とを備えている
ことを特徴とする建設・土木機械の操作レバー装置。
【請求項２】
請求項１に記載された建設・土木機械の操作レバー装置において、
前記電磁石作動スイッチ（２５）は、前記操作レバー（１０）の先端（１０ａ）に設けられ、前記電磁石（２０）用電気回路を接続または遮断するものである
ことを特徴とする建設・土木機械の操作レバー装置。
【請求項３】
請求項２に記載された建設・土木機械の操作レバー装置において、
前記電磁石作動スイッチ（２５）に接続される電線は、前記操作レバー（１０）の握り部（１２）の内部に挿通されているものである
ことを特徴とする建設・土木機械の操作レバー装置。
【請求項４】
請求項２に記載された建設・土木機械の操作レバー装置において、
前記電磁石作動スイッチ（２５）または前記電磁石作動スイッチ（２５）の近傍には、前記電磁石（２０）が励磁状態であるのか消磁状態であるのかを表示するための表示手段が設けられている
ことを特徴とする建設・土木機械の操作レバー装置。
【請求項５】
請求項２に記載された建設・土木機械の操作レバー装置において、
前記電磁石（２０）は、前記操作レバー（１０）を挟み、前記操作レバー（１０）の傾動方向の両側に設けられているものである
ことを特徴とする建設・土木機械の操作レバー装置。
【考案の詳細な説明】
【技術分野】
【０００１】
本考案は、地盤改良機、鋼管杭打機等建設機械、土木機械で使用される操作レバー装置に関し、特に、操作レバーが傾斜位置にあるときの固定、固定解除の操作、操作レバーの傾動操作を容易に行えるようにした建設・土木機械の操作レバー装置に関するものである。
【背景技術】
【０００２】
従来より、建設・土木機械では、中立状態から作動状態に傾動可能な操作レバーを使用することがある。この操作レバーは、十文字状切り欠きガイドが形成されたガイド板に沿って傾動可能になっていることが多い。また、操作レバーは、建設・土木機械用として使用する場合には、操作の都合上、作動状態である傾動位置に固定したほうが作業（例えば、地盤改良作業）しやすいことがある。
その操作レバーの固定装置としては、互いに近接・離間可能な２つのローラを近接方向に付勢されたキャッチ部材と、このローラ間に進入してローラに係合する凸部が設けられた係止部材とからなるものが知られている（例えば、特許文献１参照）。
【０００３】
また、永久磁石と鉄板を利用して操作レバーの固定装置としたものも知られている（例えば、特許文献２参照）。
建設・土木機械の操作レバーの固定装置は、作業時の振動等により固定状態が解除されてしまうことがないようにする必要がある。また、建設・土木機械が鋼管杭打機などの場合、ロッドのジョイント部の継ぎ動作時、鋼管杭の回転伝達用突起部を溝に合わせ杭を回転駆動部にセットする時などに操作レバーを微操作させる必要があった。
【特許文献１】特許第３３２６５５７号公報
【特許文献２】特開２００２−３２８７３７号公報
【考案の開示】
【考案が解決しようとする課題】
【０００４】
しかしながら、特許文献１、２の技術では、操縦者が、傾斜位置から中立位置側に、操作レバーを傾け微動作させようとしても、傾斜位置ではキャッチ部材と係止部材、または、永久磁石と鉄板が固定状態にあるため、傾動操作が容易でなかった。そこで、操縦者が強い力で中立位置側に戻そうとすると誤作動を発生させる原因となるおそれが生じた。また、操縦者に余計な負担をかけ疲労させる元になってしまう。
そのため、操縦者は、微動作時には、永久磁石と鉄板が固定されないように指や物を挟んだり、永久磁石の数を減らすなどの工夫をして使用しているが、たいへん危険な行為であり安全性に問題が発生するおそれがあった。
【課題を解決するための手段】
【０００５】
本考案は、上述した従来の問題点を解決するためになされたもので、次の目的を達成する。
本考案の目的は、中立位置、傾斜位置に傾動動作可能であるとともに、傾斜位置において、固定、固定解除の操作性に優れた建設・土木機械の操作レバー装置を提供することにある。
【０００６】
本考案は、前記目的を達成するために次の手段をとる。
本考案１の建設・土木機械の操作レバー装置は、
建設・土木機械で使用される操作レバー装置であって、操作ボックスに対して、中立位置と、この中立位置から所定角度傾斜した傾斜位置に傾動動作可能な操作レバーと、この操作レバー側に設けられ、磁石に磁着可能な磁性プレートと、前記操作ボックス側に設けられ、前記操作レバーが傾斜位置にあるとき、前記磁性プレートを磁着させるための電磁石と、前記操作レバーに設けられ、前記電磁石を励磁状態または消磁状態に切り替える操作を行うための電磁石操作スイッチとを備えていることを特徴とする。
【０００７】
本考案２の建設・土木機械の操作レバー装置は、本考案１において、
前記電磁石作動スイッチは、前記操作レバーの先端に設けられ、前記電磁石用電気回路を接続または遮断するものであることを特徴とする。
【０００８】
本考案３の建設・土木機械の操作レバー装置は、本考案２において、
前記電磁石作動スイッチに接続される電線は、前記操作レバーの握り部の内部に挿通されているものであることを特徴とする。
【０００９】
本考案４の建設・土木機械の操作レバー装置は、本考案２において、
前記電磁石作動スイッチまたは前記電磁石作動スイッチの近傍には、前記電磁石が励磁状態であるのか消磁状態であるのかを表示するための表示手段が設けられていることを特徴とする。
【００１０】
本考案５の建設・土木機械の操作レバー装置は、本考案２において、
前記電磁石は、前記操作レバーを挟み、前記操作レバーの傾動方向の両側に設けられているものであることを特徴とする。
【考案の効果】
【００１１】
本考案の建設・土木機械の操作レバーは、傾斜位置で固定状態を維持する際、電磁石を励磁状態にして電磁力で固定維持されている。従って、作業時の振動等で固定状態が解除されてしまうことが生じない。また、傾斜位置から中立位置側に戻す際には、操作レバーに設けられた電磁石操作スイッチの切り替え操作により、電磁石を消磁状態にし電磁力を消滅させた状態で操作レバーを戻す操作ができるようにしている。すなわち、操作レバーの傾動操作が容易であり、作業者を疲労させることがなく、安全性も高い。
【００１２】
操作レバーの先端に電磁石操作スイッチを設けてあるので、片手で、操作が容易であり操作性がよい。また、電磁石操作スイッチ自体に、または、電磁石操作スイッチの近傍に、電磁石が励磁状態であるのか消磁状態であるのかを表示するための表示手段を設けることで、励磁のし忘れなどの人為的ミスの発生を防止することができ安全性を向上させることができる。さらに、握り部の先端に電磁石操作スイッチを設けても電線等が握り部内部に挿通されているため、操縦者が操作する際、邪魔になるようなことが生じない。
【考案を実施するための最良の形態】
【００１３】
以下、本考案の建設・土木機械の操作レバー装置について、その実施の形態を図面に基づいて詳細に説明を行う。
図１は、本考案の建設・土木機械の操作レバー装置の正面図、図２は、図１をＣ−Ｃ線で切断した断面図、図３は、操作レバー装置を模式的に示した概要図である。
【００１４】
図１に示すように、本考案の操作レバー装置１は、操作ボックス３０、操作レバー１０、電磁石２０、磁性プレート１５、電磁石作動スイッチ２５、電源部３５（図３参照）等から構成されている。操作レバー装置１は、建設機械、土木機械で使用されるものである。例えば、鋼管杭打機、地盤改良機などで使用されることが好ましい。
【００１５】
操作ボックス３０には、操作レバー１０が傾動動作可能に設けられている。操作レバー１０は、略「く」の字形状になっており、下部側の軸部１１と上部側の握り部１２とから構成されている。なお、操作レバーは、棒のような形状のものであってもよい。操作ボックス３０の上部には、十字状案内部３１ａが形成された案内部材３１がボルト３２で取り付けられている。すなわち、操作レバー１０は、十字状案内部３１ａに案内されて、図示しない支点を中心に、中立位置Ｎ、第１傾斜位置Ａ、及び、第２傾斜位置Ｂのように、図１の矢印Ｐ方向に傾動動作する。操作レバー１０は、例えば、建設・土木機械が鋼管杭打機、地盤改良機などの場合、鋼管杭、攪拌ヘッド等のフィードと回転の操作用として使用される。
【００１６】
操作ボックス３０には、ステー２１が固定されている。ステー２１には、電磁石２０，２０が一対取り付けられている。また、ステー２１及び一対の電磁石２０は、前述した傾動方向（矢印Ｐ方向）の両端に設けられている。すなわち、第１傾斜位置Ａ、第２傾斜位置Ｂに対応して、ステー２１、一対の電磁石２０，２０が設けられている。ステー２１は、非磁性材料で形成されているとよい。言い換えると、ステー２１は非磁性体である。
【００１７】
操作レバー１０の軸部１１には、磁性プレート１５が固定されている。磁性プレート１５は、ボルト穴、ザグリ穴が形成された一方の磁性プレートと、ねじ穴が形成された他方の磁性プレートとから構成されている。すなわち、磁性プレート１５は、ボルト穴、ねじ穴が一致するように組み合わされ、ボルト１６によって軸部１１に固定されている。磁性プレート１５には、被磁着部１５ａ，１５ａが形成されている。この被磁着部１５ａ，１５ａが、一対の電磁石２０，２０に各々磁着される。磁性プレート１５は、鋼板等磁性材料で形成されているとよい。言い換えると、磁性プレート１５は磁性体である。
【００１８】
操作レバー１０の先端１０ａには、電磁石２０のコイルに、電源部３５から電流を流して電磁石２０を励磁状態としたり、電磁石２０のコイルに電流を流すことを停止して電磁石２０を消磁状態とするための電磁石作動スイッチ（以下、スイッチという）２５が設けられている。スイッチ２５、電磁石２０，２０及び電源３５との間は電線３６で接続され、電磁石２０用電気回路が構成されている（図３参照）。言い換えると、スイッチ２５は、電磁石２０用電気回路を接続状態または遮断状態にするように、切り替え操作するものである。また、電線３６は、図１に示すように、握り部１２では、握り部１２の内部に挿通されており、握り部１２の先端１２ａにスイッチ２５を設けても電線３６等が、操縦者が操作する際、邪魔になるようなことが生じない。
【００１９】
スイッチ２５は、ロッカースイッチ（波形スイッチ）、トグルスイッチ、押ボタンスイッチなどを使用することができる。なお、押ボタンスイッチは、押圧操作により、交互にＯＮ−ＯＦＦ動作を繰り返すタイプのものがよい。また、スイッチが照光式スイッチであると、電磁石２０の励磁状態、消磁状態を、スイッチ自体の点灯／消灯、２色変更表示等で表示できるので好ましい。さらに、スイッチを照光式のものにするのではなく、スイッチの近傍に、電磁石２０の励磁状態、消磁状態を表示するための表示手段（例えば、表示ランプ）を設けてもよい。そして、表示手段の点灯／消灯、または、表示手段の表示色の変更（例えば、励磁状態を赤色表示、消磁状態を青色表示）で、電磁石２０の励磁状態、消磁状態を表示するようにしてもよい。
【００２０】
本考案の操作レバー装置の作用の説明を行う。
操作レバー装置１において、操作レバー１０を中立位置Ｎから第１傾斜位置Ａ（または、第２傾斜位置Ｂ）に傾斜させる場合、操作レバー１０の握り部１２を握って傾斜させればよい。
【００２１】
操作レバー１０を傾斜位置で固定維持する場合、操作レバー１０を第１傾斜位置Ａ（または、第２傾斜位置Ｂ）に傾斜させた状態で、電磁石２０用電気回路内のスイッチ２５を接続側（操作レバー１０の固定側）に切り替え操作して電磁石２０のコイルに電流を流し励磁状態にする。電磁石２０に電磁力が発生して磁性プレート１５を磁着し、操作レバー１０を第１傾斜位置Ａ（または、第２傾斜位置Ｂ）に固定維持することができる。すなわち、建設・土木機械による作業時の振動等により操作レバー１０の固定状態が解除されてしまうことが絶対に生じない。操作レバー１０を傾斜させる操作とスイッチ２５を接続側に切り替える操作は、片手で、容易に行えるようになっている。また、スイッチ２５自体または表示手段の表示で、電磁石２０を励磁状態にしたことを確認することが好ましい。この固定維持操作は、例えば、建設・土木機械が鋼管杭打機、地盤改良機などの場合、鋼管杭、攪拌ヘッド等のフィードまたは回転の連続作業を維持するときなどに使用するのが好適である。
【００２２】
操作レバー１０を第１傾斜位置Ａ（または、第２傾斜位置Ｂ）から中立位置Ｎ側に戻す場合、第１傾斜位置Ａ（または、第２傾斜位置Ｂ）において、電磁石２０用電気回路内のスイッチ２５を遮断側（操作レバー１０の固定解除側）に切り替え操作して電磁石２０のコイルに電流を流すことを停止し消磁状態にする。消磁状態にすると、電磁石２０の電磁力が消滅するので、操作レバー１０の固定が解除される。すなわち、操縦者は操作レバー１０を容易に戻す操作を行うことができる。この戻す操作は、操作レバー１０を中立位置Ｎに戻す操作であっても良く、操作レバー１０を微少量または所定角度中立位置Ｎ側に戻すような操作であってもよい。スイッチ２５を遮断側に切り替える操作と、操作レバー１０を戻す操作とは、片手で、容易に行えるようになっている。また、スイッチ２５自体または表示手段の表示で、電磁石２０を消磁状態にしたことを確認してから操作レバー１０を戻す操作を行うようにすることが好ましい。
【００２３】
以上、本考案の実施の形態について説明を行ったが、本考案は、この実施の形態に限定されることはない。本考案の目的、趣旨を逸脱しない範囲内で変更が可能であることはいうまでもない。
【図面の簡単な説明】
【００２４】
【図１】図１は、本考案の建築・土木機械の操作レバー装置の正面図である。
【図２】図２は、図１をＣ−Ｃ線で切断した断面図である。
【図３】図３は、操作レバー装置を模式的に示した概要図である。
【符号の説明】
【００２５】
１  …  操作レバー装置
１０  …  操作レバー
１１  …  軸部
１５  …  磁性プレート
２０  …  電磁石
２５  …  電磁石操作スイッチ
３０  …  操作ボックス
３５  …  電源部
Ａ  …  第１傾斜位置
Ｂ  …  第２傾斜位置
Ｎ  …  中立位置
【図１】
0003120513.tif 000003
【図２】
0003120513.tif 000004
【図３】
0003120513.tif 000005